(57)【要約】【課題】適切な照射範囲を確保する照明灯を備えた移動農作業機を提供することを課題とする。【解決手段】運転席８の前方にフロントパネル１２を設け、フロントパネル１２の前面に照明灯１８ａ，１８ｂを配置した移動農作業機において、フロントパネル１２に突出部１６を設け、突出部１６の一部に凹部１７ａ，１７ｂを形成し、凹部１７ａ，１７ｂ内に照明灯１８ａ，１８ｂを取り付け、突出部１６とフロントパネル１２正面とを一体的に成形する。【選択図】図３
2008022758.tif 000002
【特許請求の範囲】
【請求項１】
運転席（８）の前方にフロントパネル（１２）を設け、フロントパネル（１２）の前面に照明灯（１８ａ），（１８ｂ）を配置した移動農作業機において、フロントパネル（１２）に突出部（１６）を設け、突出部（１６）の一部に凹部（１７ａ），（１７ｂ）を形成し、凹部（１７ａ），（１７ｂ）内に照明灯（１８ａ），（１８ｂ）を取り付けた移動農作業機。
【請求項２】
突出部（１６）とフロントパネル（１２）前面とが一体的に成形された請求項１の移動農作業機。
【請求項３】
刈り取り作業を行う前処理部（３）を機体前側に備え、フロントパネル（１２）前面の前処理部（３）設置側より遠い側に、照明灯（１８ａ），（１８ｂ）を配置した請求項１又は２の移動農作業機。
【請求項４】
照明灯として機体前方を照らす前照灯（１８ａ）と、作業位置を照らす作業灯（１８ｂ）とを備え、作業灯（１８ｂ）を前照灯（１８ａ）の下方位置に配置し、且つ作業灯（１８ｂ）を前照灯（１８ａ）よりも機体の前方に突出させた請求項１，２又は３の移動農業機。
【発明の詳細な説明】
【技術分野】
【０００１】
移動農作業機の照明灯の取付構造に関する。
【背景技術】
【０００２】
従来のコンバイン等の移動農作業機では前方のフロントパネルの前面内部に照明灯を配置することが一般的である。（例えば特許文献１参照）。
【特許文献１】実用新案登録弟２５９９８７６号公報
【発明の開示】
【発明が解決しようとする課題】
【０００３】
しかし上記文献のようにフロントパネル内に照明灯を設けると、パネル内の運転操作系の中継機構や電気配線等の設置スペースと干渉する不便があり、パネル内に照明灯の排熱がこもるほか、機体前方下部の作業部への照明範囲が限られる等の欠点がある。また、照明灯をフロントパネルより突出させて取り付けると照明灯自体を保護するためのガードやカバー等を別途取り付ける必要がある。
【課題を解決するための手段】
【０００４】
上記課題を解決するため本発明の移動農作業機は、第１に運転席８の前方にフロントパネル１２を設け、フロントパネル１２の前面に照明灯１８ａ，１８ｂを配置した移動農作業機において、フロントパネル１２に突出部１６を設け、突出部１６の一部に凹部１７ａ，１７ｂを形成し、凹部１７ａ，１７ｂ内に照明灯１８ａ，１８ｂを取り付けたことを特徴としている。
【０００５】
第２に、突出部１６とフロントパネル１２前面とが一体的に成形されたことを特徴としている。
【０００６】
第３に、刈り取り作業を行う前処理部３を機体前側に備え、フロントパネル１２前面の前処理部３設置側より遠い側に、照明灯１８ａ，１８ｂを配置したことを特徴としている。
【０００７】
第４に、照明灯として機体前方を照らす前照灯１８ａと、作業位置を照らす作業灯１８ｂとを備え、作業灯１８ｂを前照灯１８ａの下方位置に配置し、且つ作業灯１８ｂを前照灯１８ａよりも機体の前方に突出させたことを特徴としている。
【発明の効果】
【０００８】
以上のように構成される本発明の移動農作業機によれば、照明灯をフロントパネル前面に突出させて配置することができる。このため、フロントパネル内の各種機構配置や配線スペースの自由度が高くなり、照明排熱の影響も少なくできるとともに、例えば機械の構成上フロントパネルの前端位置が制約される移動農作業機においても、広い照射範囲を確保することできる。そして突出部に凹部を設け、凹部内に照明灯を取り付けるため、照明灯の周辺が突出部によって囲まれて保護される。
【０００９】
また、フロントパネル前面と突出部とを一体成形することにより、加工が容易になり、部品点数も少なくなる。このため製造コストを低く抑えることができる。
【００１０】
また、移動農作業機の前処理部の設置位置からより離れた位置に照明灯を取り付けることにより、互いが干渉しない位置に前処理部と照明灯とを配置することができる。
【００１１】
さらに、作業灯を前照灯の下方位置に配置し、前照灯より機体の前方に突出させることにより、作業灯の下方への照射角が十分に確保される。このため前処理部下方の刈り取り作業位置を正確に照らすことができる。
【発明を実施するための最良の形態】
【００１２】
図１は、本発明を適用したコンバインの側面図である。コンバインは、クローラ式の走行装置１上に機体フレーム２が支持されている。機体フレーム２の前側には、刈り取り作業を行う前処理部３が上下揺動自在に支持されている。機体フレーム２上で、前処理部３の後方には図示しない脱穀部が設けられている。機体フレーム２上で、脱穀部の右側には脱穀後の穀粒を収容するグレンタンク４が設置されている。グレンタンク４の上方には、機体後方から前方に向かって穀粒排出用のオーガ６が設けられている。
【００１３】
機体フレーム２の前部右側には運転席フレーム７が配置されている。運転席フレーム７には運転席８が設置されている。運転席８は、座席９と、座席９の周りに設けられ各種操作を行う操作部１１とから構成されている。また、運転席８の前方にはフロントパネル１２が設置されている。
【００１４】
図２は、コンバインの要部正面図であり、図３はコンバインの要部側面断面図である。機体前方の左側（図２における右側）には刈取条数が２条の前処理部３が配置されている。フロントパネル１２は機体前方の右側（図２における左側）に配置されている。前処理部３はフロントパネル１２より前方に位置している。
【００１５】
次に上記フロントパネル１２の詳細について説明する。フロントパネル前面はパネルカバー１３により構成されている。パネルカバー１３はＦＲＰ製又は板金製で一体成形され、図３に示すようにフロントパネル１２と運転席フレーム７の正面にまたがって設けられている。パネルカバー１３には、図２に示すように正面視で中央左側から中央右側に亘る範囲で略Ｌ字形に前面に突出する膨出面１４が形成されている。
【００１６】
膨出面１４には突出部１６が一体的に設けられている。突出部１６はフロントパネル１２前面の右側に配置され、膨出面１４に対して前方に突出しており、その形状は正面視で縦長の略長方形、長円形又は楕円形になっている。また、図３に示すように突出部１６の下部は上部に対してさらに前方に突出している。
【００１７】
突出部１６の上部及び下部には、それぞれ凹部１７ａ，１７ｂが形成されている。各凹部１７ａ，１７ｂは正面視で略円形となっている。照明灯として上側の凹部１７ａ内には機体前方を照らす前照灯１８ａが取り付けられ、下側の凹部１７ｂ内にはコンバインの前処理部３の作業位置を照らす作業灯１８ｂが取り付けられている。前述したように突出部１６は上部に対して下部が前方に突出しているため、突出部１６の下部に配置された作業灯１８ｂは、上部に配置された前照灯１８ａよりも前方に突出している。
【００１８】
各照明灯１８ａ，１８ｂの形状は略半球状であり、前側が開口している。上記各開口部には、それぞれ透明なカバー１９が設けられ、内部が保護されている。照明灯１８ａ，１８ｂの照明光は透明なカバー１９を透過し、目的位置を照らす。
【００１９】
一方、突出部に形成された凹部１７ａ，１７ｂの上側には各照明灯１８ａ，１８ｂを支持するプレート状の取付座２１がそれぞれ突設されており、下側内面には下方に向かって傾斜する傾斜面２２がそれぞれ形成されている。各傾斜面２２のうち、下側の凹部１７ｂの傾斜面２２が上側の凹部１７ａの傾斜面２２よりも下向きに急傾斜している。
【００２０】
図４は、前照灯１８ａの取り付け構造を表わす平面断面図である。凹部１７ａ，１７ｂの取付座２１の左右には取付溝２３が前後方向に平行に形成されている。各取付溝２３は、後側が開放されており、形状は平面視で略長方形である。一方、各照明灯１８ａ，１８ｂの上部にはそれぞれ長円形の取付プレート２４が上向きに一体的に取り付けられている。各取付プレート２４の左右両端にはそれぞれ取付孔２６が穿設されている。
【００２１】
上記取付プレート２４の左右の取付孔２６，２６と、取付座２１の左右の取付溝２３，２３の間隔（ピッチ）は互いに対応しており、図４に示すように両者を対応させて重ね合わせた状態で、取付プレート２４下面側から各取付孔２６、取付溝２３にボルト２７を挿通させてボルト２７先端部を取付座２１上面側に突出させ、該先端部にナット２８を係合させて締め付けることにより両者を締着固定している。
【００２２】
この時、取付孔２６及びボルト２７の径は、取付溝２３の径（幅）より僅かに小さく形成されており、これにより取付座２１に対して取付プレート２４（照明灯１８ａ，１８ｂ）を水平方向に回動させて照明灯１８ａ，１８ｂの光軸の左右方向の調整が可能な機構が形成されている。
【００２３】
図５（Ａ），（Ｂ）は、前照灯１８ａの向きを左方向と正面方向に向けた状態のパネルカバー１３の平面断面図であり、前述したように照明灯１８ａ，１８ｂは水平方向に向きを調整することができ、機体の前部左側には前処理部３が配置され、前部右側には照明灯１８ａ，１８ｂが配置されている。このため、前処理部３による刈り取り作業は機体前方の左側位置になり、図６に示すように照明灯１８ａ，１８ｂを前方斜め左に向け、機体の進行方向及び圃場内の作業位置を照らす。
【００２４】
また、凹部１７ａ，１７ｂ内の各傾斜面２２により照明灯１８ａ，１８ｂの下方への照射角を十分に確保できる。このため、高い位置に座って機体前方及び作業位置を見下ろして作業するオペレータの視線の先を照明灯１８ａ，１８ｂで正確に照らすことができる。
【００２５】
以上、本発明を応用した刈取条数が２条の前処理部３を備えたコンバインの実施形態につき説明したが、図７は、刈取条数が４条の前処理部３を備えたコンバインの例につき図示している。刈取条数が４条の前処理部３を備えているコンバインにおいては、照明灯１８ａ，１８ｂの正面にまで前処理部が迫っている
【００２６】
このような場合でも、照明灯１８ａ，１８ｂが取り付けられている突出部１６のみが前方に突出しており、上記突出部１６が前処理部３の設置位置から遠いフロントパネル１２前面の右側に配置されているため、前処理部３と、照明灯１８ａ，１８ｂとが互いに干渉しないように前処理部３及び照明灯１８ａ，１８ｂを位置決めすることができる。
【００２７】
また、照明灯１８ａ，１８ｂの正面にまで前処理部３が迫っているため、照明灯１８ａ，１８ｂの正面においても刈り取り作業が行われる。従って各照明灯１８ａ，１８ｂは正面方向に向けられている。このようにして照明灯１８ａ，１８ｂの水平方向の向きを調整できるため、様々な種類のコンバインについて本発明を適用することができる。
【図面の簡単な説明】
【００２８】
【図１】コンバインの側面図である。
【図２】コンバインの要部正面図である。
【図３】コンバインの要部側面断面図である。
【図４】前照灯の取り付け構造を表わす平面断面図である。
【図５】（Ａ）は前照灯の向きを左方向に向けた状態のパネルカバーの平面断面図であり、（Ｂ）は前照灯の向きを正面方向に向けた状態のパネルカバーの平面断面図である。
【図６】コンバインの要部平面図である。
【図７】コンバインの要部平面図である。
【符号の説明】
【００２９】
３  前処理部
８  運転席
１２  フロントパネル
１６  突出部
１７ａ，１７ｂ  凹部
１８ａ  前照灯（照明灯）
１８ｂ  作業灯（照明灯）
【図１】
2008022758.tif 000003
【図２】
2008022758.tif 000004
【図３】
2008022758.tif 000005
【図４】
2008022758.tif 000006
【図５】
2008022758.tif 000007
【図６】
2008022758.tif 000008
【図７】
2008022758.tif 000009